(57)【要約】【課題】  開封が容易であり、開封後の一対の表紙が不要にならず、多量の情報を同封でき、送り手側には封入、封緘等の手間隙な作業が不要であり、受取り手側（顧客側）には保管し易く、しかも機密性に優れ、第三者に封入された情報を盗み見されることのないダイレクトメールとして郵送、宅配、あるいは、手渡し等が可能な冊子状印刷物の形態を提供することである。【解決手段】  一対の矩形状の表紙の１辺の端部に綴じ部が設けられ、該綴じ部を除く３周辺に接着部が設けられ綴じ部、接着部で周囲４辺が接着され、冊子中紙片が一対の表紙の間に挿入され綴じ部で一体化された冊子状印刷物であって、綴じ部と対向する接着部側が小口側とされ、一方の表紙には、小口側の接着部の内縁に開封用切目線が設けられ、綴じ部の内縁に折り曲げ用ミシン目線が設けられ、開封用切目線より開封することにより冊子中紙片を見開き可能な状態とすることを特徴とするものである。【選択図】        図１
2010269448.tif 000002
【特許請求の範囲】
【請求項１】
一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された冊子状印刷物であって、前記綴じ部と対向する前記接着部側が小口側とされ、前記一対の表紙のうち、一方の前記表紙には、小口側の前記接着部の内縁に開封用切目線が設けられ、前記綴じ部の内縁に折り曲げ用ミシン目線が設けられ、前記開封用切目線より開封することにより前記冊子中紙片を見開き可能な状態とすることを特徴とする冊子状印刷物。
【請求項２】
一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された冊子状印刷物であって、前記綴じ部と対向する前記接着部側が小口側とされ、前記一対の表紙のうち、一方の前記表紙には、小口側の前記接着部の内縁と、他の対向する２辺に設けられた接着部の内縁とに開封用切目線がコの字状に設けられ、前記綴じ部の内縁に折り曲げ用ミシン目線が設けられ、前記開封用切目線より前記表紙をコの字状に開封することにより前記冊子中紙片を見開き可能な状態とすることを特徴とする冊子状印刷物。
【請求項３】
一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された冊子状印刷物であって、前記綴じ部と対向する前記接着部側が小口側とされ、前記一対の表紙のうち、一方の前記表紙には、小口側の前記接着部の内縁に略くの字状切目からなる開封用切目線と、他の対向する２辺に設けられた接着部の内縁にＹ字状切目からなる開封用切目線とがコの字状に設けられ、前記綴じ部の内縁に折り曲げ用ミシン目線が設けられ、前記開封用切目線より前記表紙をコの字状に開封することにより前記冊子中紙片を見開き可能な状態とすることを特徴とする冊子状印刷物。
【請求項４】
前記冊子中紙片の前記綴じ部の内側に内側綴じ部を設け、前記綴じ部と前記内側綴じ部との間にミシン目線を設けたことを特徴とする請求項１乃至３のいずれかに記載の冊子状印刷物。
【発明の詳細な説明】
【技術分野】
【０００１】
本発明は、商品カタログ、パンフレット等を冊子の状態で郵送、宅配、あるいは手渡し等をすることができ、受け取った顧客が容易に開封できる封緘された冊子状印刷物に関するものである。
【背景技術】
【０００２】
従来より、商品又は役務の内容を記載した冊子（カタログ、パンフレット等）は、種々の分野で広く利用されている。例えば、特定の顧客向けサービスとしてデパートなどが行うギフト商品の紹介、旅行会社が行う旅行案内、あるいは、通販会社等で、過去に注文を受けた顧客等に対して、ダイレクトメール等が近年盛んに採り入れられている。ダイレクトメールで多くの商品、役務等の情報を顧客に届ける場合、通常は封筒の中にカタログ等の冊子や案内状、返信用申込葉書等を同封して郵送、あるいは、宅配することが一般的に行われている。そのために、デパートや旅行会社、通販会社といった送り手側では一度に多くの情報を顧客に提供することができ、結果として顧客側への宣伝効果の高いものとなっている。
【０００３】
しかしながら、送り手側では、前述の冊子を顧客に送付するには、封筒を準備する作業、封筒にカタログ等の冊子や案内状、返信用申込葉書等を封入し封緘する等の人手で行う煩雑な作業がある。また、これらのカタログ等の冊子や案内状、返信用申込葉書等の入った封筒を受け取った顧客側では、届けられた封筒を鋏等で開封して、封筒の中に入れられたカタログ等の冊子や案内状、返信用申込葉書等を封筒より取り出して内容を確認しなければならず、この封筒の開封や内容の確認に結構手間のかかるものであった。さらに、開封した後のカタログ等の冊子や案内状、返信用申込葉書等が散逸し易く、保管にも注意を要するものであった。
【０００４】
そこで多量の情報を同封でき、かつ、送り手側でのカタログ等の冊子や案内状、返信用申込葉書等を送付するために封筒の準備、封筒への封入、封緘作業が不要であって、かつ、顧客側での開封が容易で保管し易く、さらに封入されている冊子の内容を盗み見されることのないダイレクトメールとして郵送、あるいは、宅配可能な冊子状送付物の形態として、一対の矩形状の表紙片と裏紙片及び複数枚の本紙片からなり、前記表紙片と前記裏紙片との間に前記複数枚の本紙片を挟み、一方の端部に設けられた綴じ部で揃えて綴じられた冊子状送付物であって、前記表紙片及び前記裏紙片の前記綴じ部を除く周縁に封緘部を備え、該封緘部にて接着する封書の形態が提案されている（例えば、特許文献１参照）。
【０００５】
特許文献１の技術により、送り手側の煩雑な作業、受取り手側の開封の手間や開封後の封入物の散逸もなく保管性の優れたものとなった。さらに、封書形態のために、送付物の内容を第三者に盗み見されることもなく機密性も優れている。反面、封書形態のために開封用ミシン目より開封し、冊子と一対の表紙片と裏紙片で形成される袋に切離すと袋が不要になるという問題がある。また、袋部分にはカタログ等の掲載ができないためにより多くの情報量を提供するためには本紙片の枚数を増加しなければならないという問題がある。
【先行技術文献】
【特許文献】
【０００６】
【特許文献１】特開２００８−６６６６号公報
【発明の概要】
【発明が解決しようとする課題】
【０００７】
本発明は、上記のような従来の問題点に鑑み、開封が容易であり、開封後の一対の表紙が不要にならず、多量の情報を同封でき、送り手側には封入、封緘等の手間隙な作業が不要であり、受取り手（顧客）側には保管し易く、しかも機密性に優れ、第三者に封入された情報を盗み見されることのないダイレクトメールとして郵送、宅配、あるいは、手渡し等が可能な冊子状印刷物の形態を提供することである。
【課題を解決するための手段】
【０００８】
上記課題を解決するために、請求項１に記載の本発明は、一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された冊子状印刷物であって、前記綴じ部と対向する前記接着部側が小口側とされ、前記一対の表紙のうち、一方の前記表紙には、小口側の前記接着部の内縁に開封用切目線が設けられ、前記綴じ部の内縁に折り曲げ用ミシン目線が設けられ、前記開封用切目線より開封することにより前記冊子中紙片を見開き可能な状態とすることを特徴とする冊子状印刷物である。
【０００９】
また、請求項２に記載の本発明は、一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された冊子状印刷物であって、前記綴じ部と対向する前記接着部側が小口側とされ、前記一対の表紙のうち、一方の前記表紙には、小口側の前記接着部の内縁と、他の対向する２辺に設けられた接着部の内縁とに開封用切目線がコの字状に設けられ、前記綴じ部の内縁に折り曲げ用ミシン目線が設けられ、前記開封用切目線より前記表紙をコの字状に開封することにより前記冊子中紙片を見開き可能な状態とすることを特徴とする冊子状印刷物である。
【００１０】
また、請求項３に記載の本発明は、一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された冊子状印刷物であって、前記綴じ部と対向する前記接着部側が小口側とされ、前記一対の表紙のうち、一方の前記表紙には、小口側の前記接着部の内縁に略くの字状切目からなる開封用切目線と、他の対向する２辺に設けられた接着部の内縁にＹ字状切目からなる開封用切目線とがコの字状に設けられ、前記綴じ部の内縁に折り曲げ用ミシン目線が設けられ、前記開封用切目線より前記表紙をコの字状に開封することにより前記冊子中紙片を見開き可能な状態とすることを特徴とする冊子状印刷物である。
【００１１】
また、請求項４に記載の本発明は、請求項１乃至３のいずれかに記載の冊子状印刷物において、前記冊子中紙片の前記綴じ部の内側に内側綴じ部を設け、前記綴じ部と前記内側綴じ部との間にミシン目線を設けたことを特徴とするものである。
【発明の効果】
【００１２】
請求項１に記載の発明によれば、一対の矩形状の表紙の１辺の端部に綴じ部が設けられ、該綴じ部を除く３周辺に接着部が設けられ前記綴じ部、前記接着部で周囲４辺が接着され、前記綴じ部においては前記表紙と同じ寸法であり前記接着部で囲まれた領域においては前記表紙より小さい寸法である冊子中紙片が前記一対の表紙の間に挿入され前記綴じ部で前記冊子中紙片と前記表紙が綴じられ一体化された封書形態の冊子状印刷物とすることにより、個人情報等の重要情報の機密化が図れ、顧客に安心して郵送、あるいは宅配ができ、顧客にも安心感を与えるという効果を奏する。また、前記綴じ部と対向する前記接着部側が小口側とされ、前記一対の表紙のうち、一方の前記表紙には、小口側の前記接着部の内縁に開封用切目線を設ける構成とすることにより、小口側より開封用切目線に沿って顧客が手で容易に開封できるという効果を奏するものである。
【００１３】
また、前記綴じ部の内縁に折り曲げ用ミシン目線を設けることにより、前記開封用切目線より開封して一方の表紙を折り曲げ用ミシン目線で折り曲げることができ、冊子中紙片を見開き可能な状態にできる。さらに、冊子状の形態とすることにより一対の表紙は従来の封書のように開封後、不要となることがなく、一対の表紙の内面側（冊子状中紙片側）にも情報を記載でき、効率的に利用できるという効果を奏する。さらに冊子中紙片を覆う一対の表紙が冊子のカバーとして利用できる。さらに、冊子状の形態にすることにより、カタログ等の情報を大量に受取り手へ提供でき、送り手側には封筒を準備する作業、封筒にカタログ等の冊子や案内状、返信用申込葉書等を封入する作業、封緘作業等の手間隙な作業が不要となり、省人化、合理化が図れると共に、情報の丁合漏れを防ぐことができるという効果がある。また、受取り手側は冊子状印刷物を受取り、開封後も、端部に設けられた綴じ部で綴じられているために、見開き状態にして表紙や各冊子中紙片に記載された情報を見やすく、また、見終わった後も表紙や紙片が散逸することがなく、保管し易いという効果がある。さらには、情報の増減が容易にできるものである。
【００１４】
また、請求項２に記載の発明は、上記効果以外に、一方の前記表紙には、小口側の前記接着部の内縁と、他の対向する２辺に設けられた接着部の内縁とに開封用切目線がコの字状に設けられ、前記綴じ部の内縁に折り曲げ用ミシン目線が設けられた構成とすることにより、冊子状印刷物の郵送、あるいは宅配時のハンドリング時に誤って開封用切目線から開封されてしまうことが防げ、機密性を高めると共に、他の対向する２辺に設けられた接着部の幅を狭くできるので、冊子中紙片の寸法を広くでき、情報提供スペースの効率化が図れる。また、小口側より開封用切目線に沿って受取り手が容易に表紙をコの字状に開封することにより冊子中紙片を見開き可能な状態にできる。
【００１５】
また、請求項３に記載の発明は、請求項１、２の奏する効果に加え、一方の前記表紙には、小口側の前記接着部の内縁に略くの字状切目からなる開封用切目線と、他の対向する２辺に設けられた接着部の内縁にＹ字状切目からなる開封用切目線とがコの字状に設けられ、前記綴じ部の内縁に折り曲げ用ミシン目線が設けられた構成とすることにより、受取り手が、より一層、小口側より開封用切目線に沿ってワンアクションで表紙をコの字状に開封することができる。
【００１６】
また、請求項４に記載の発明は、前記冊子中紙片の前記綴じ部の内側に内側綴じ部を設け、前記綴じ部と前記内側綴じ部との間にミシン目線を設けた構成とすることにより、例えば、クーポン券、優待券などを提供する場合にミシン目より該券を切取ることができ、しかも、内側綴じ部で閉じられているので該券が散けることがなく、携帯に便利なものとなる。
【図面の簡単な説明】
【００１７】
【図１】本発明にかかる冊子状印刷物の第一実施形態を示す平面図である。
【図２】図１の分解斜視図である。
【図３】図１におけるＸ−Ｘ線、Ｙ−Ｙ線断面図である。
【図４】本発明にかかる第一実施形態の冊子状印刷物の開封用切目線から開封した状態を示す平面図である。
【図５】本発明にかかる冊子状印刷物の第二実施形態を示す平面図である。
【図６】略くの字状切目、およびＹ字状切目の具体例を示す拡大図である。
【図７】図５におけるＸ−Ｘ線、Ｙ−Ｙ線断面図である。
【図８】本発明にかかる冊子状印刷物の第三実施形態を示す平面図である。
【図９】本発明にかかる第三実施形態の冊子状印刷物の開封用切目線から開封した状態を示す平面図である。
【発明を実施するための形態】
【００１８】
以下図面を用いて、本発明の実施形態について説明する。図１は本発明にかかる冊子状印刷物の第一実施形態を示す平面図、図２は図１の分解斜視図、図３は図１におけるＸ−Ｘ線、Ｙ−Ｙ線断面図、図４は本発明にかかる第一実施形態の冊子状印刷物の開封用切目線から開封した状態を示す平面図、図５は本発明にかかる冊子状印刷物の第二実施形態を示す平面図、図６は略くの字状切目、およびＹ字状切目の具体例を示す拡大図、図７は図５におけるＸ−Ｘ線、Ｙ−Ｙ線断面図、図８は本発明にかかる冊子状印刷物の第三実施形態を示す平面図、図９は本発明にかかる第三実施形態の冊子状印刷物の開封用切目線から開封した状態を示す平面図である。
図中の符号１、１’、１’’は冊子状印刷物、２は綴じ部、２ａ、２ｂ、２ｃ、２ｄ、２ｅは綴じ代、３、３ａ、３ｂ、３ｃ、３ａ’’、３ｂ’’、３ｃ’’は接着部、４、４ａ、４ｂ、４ｃ、４’、４ａ’、４ｂ’、４ｃ’は開封用切目線、５は折り曲げ用ミシン目線、６、６’’は開封口、１０は表紙、１０ｉは表紙の内面、１１は差出料金表示、１２は送り先、宛名記載部、１３は広告表示部、１４は差出人記載部、１５は情報記載部、２０は裏表紙、３０、３０１、３０２、３０３は冊子中紙片、３１は内側綴じ部、３２はミシン目線、Ａ、Ａ１、Ａ２は略くの字状切目、Ａａは平行部、Ａｂは斜め部、Ａｃは湾曲部、Ｂ、Ｂ１、Ｂ２はＹ字状切目、直線部Ｂａ、Ｂｅは直線部、Ｂｂは分岐点、Ｂｃ、Ｂｆは斜線部、Ｂｄは屈曲点、Ｃは綴じ部側、Ｄは間隔、Ｏは小口側、ａは上下方向の長さ、ｂは左右方向の長さ、ｃは隣接する略くの字状切目との上下方向の重なり、ｄは左右方向の屈曲長さ、ｅは直線部Ｂａの長さ、ｆは斜線部Ｂｃの上下方向の長さ、ｇは斜線部Ｂｆの上下方向の長さ、ｈは上下方向の屈曲長さ、ｉは斜線部の左右方向の長さ、ｆ’は斜線部Ｂｃに相当する斜線部の上下方向の長さ、ｇ’は斜線部Ｂｆに相当する斜線部の上下方向の長さをそれぞれ示す。
【００１９】
本発明にかかる冊子状印刷物の第一実施形態は図１に示すとおりである。図１に示すように本発明の冊子状印刷物１は、表紙１０の上面には差出料金表示１１や受取人である顧客の送り先、宛名記載部１２や例えば、提供する情報の広告表示部１３や送り手の社名を記載する差出人記載部１４等が表示されている。
【００２０】
また、冊子状印刷物１は、一対の表紙１０、裏表紙２０（図２参照）のうち、一方の表紙１０には、小口側Ｏの接着部の内縁に開封用切目線４ａと、他の対向する２辺に設けられた接着部の内縁に開封用切目線４ｂ、４ｃとがコの字状に設けられ、綴じ部側Ｃには綴じ部の内縁に折り曲げ用ミシン目線５が設けられ、これを受取った顧客が、該冊子状印刷物を例えば、右下隅部の開封用切目線４ａと４ｃとの交点を開封口６として開封用切目線４に沿って、表紙１０をコの字状に開封することにより冊子中紙片を見開き可能な状態とすることにより冊子に掲載された各種情報を閲覧できるようになっている。
【００２１】
次に、図２、図３を用いて本発明の冊子状印刷物１の構造について説明する。図２は図１の分解斜視図、図３（イ）は図１のＸ−Ｘ線断面図、図３（ロ）は図１のＹ−Ｙ線断面図であって、冊子状印刷物１は、図２に示すように一対の矩形状の表紙１０と裏表紙２０の１辺の端部に設けられた綴じ代２ａ、２ｂ、２ｃ、２ｄ、２ｅで接着された綴じ部２が設けられ、該綴じ部２を除く３周辺に接着部３ａ、３ｂ、３ｃからなるコの字状の接着部３が設けられ、綴じ部２、接着部３で周囲４辺が接着され、表紙１０と裏表紙２０の間に冊子中紙片３０１、３０２、３０３からなる３枚の冊子中紙片３０が挿入され綴じ部２で表紙１０、裏表紙２０と綴じられ一体化されている。３枚の冊子中紙片３０は、綴じ部２においては表紙１０、裏表紙２０の対向する接着部３ｂから接着部３ｃに向かう方向の寸法と同じ寸法であり、接着部３ａ、３ｂ、３ｃで囲まれた領域においては表紙１０および裏表紙２０より小さい寸法である。また冊子中紙片３０の綴じ部側Ｃから小口側Ｏに向かう方向の寸法が裏表紙２０から表紙１０に向かって順次、小さくなるように構成され、綴じ部２で端部を揃えて綴じられている。したがって、冊子中紙片３０１、３０２、３０３の小口側Ｏには、余白部が形成され、該部分は見出しとして利用され、顧客に便利性を与えることができる。また、冊子中紙片３０の綴じ代２ｂ、２ｃ、２ｄ及び裏表紙２０の綴じ代２ｅの内縁に折り曲げ用ミシン目線５が設けられている。裏表紙２０の折り曲げ用ミシン目線５は必ずしも必要とするものでないが、冊子中紙片３０の枚数が多くなると裏表紙２０側に折り返すと見開き状態が安定するので好ましいものである。このような構成にすることにより封緘されている冊子を他人に盗み見されることもなく個人情報等重要情報の機密化が図れ、顧客に安心して郵送、あるいは宅配できると共に、顧客にも安心感を与えるものである。なお、冊子中紙片３０は３枚の例を示したが、顧客に提供する情報量に応じて増減すればよい。
【００２２】
次に、図１、図４を用いて、本発明の冊子状印刷物１の使用方法について説明する。図１に示すように本発明の冊子状印刷物１が届けられた顧客は、冊子状印刷物１の表紙１０の右下隅部に設けられた開封口６を手指で摘み、引っ張り上げることにより、開封用切目線４ａ、４ｃ、４ｂに沿って、表紙１０をコの字状に開封することでき、折り曲げ用ミシン目線５で表紙１０を折り曲げて見開き可能な状態とする。そして、冊子中紙片３０の情報記載部１５に掲載された各種情報が閲覧できる。さらに、冊子状印刷物とすることにより、従来の封書形態には得られない効果を奏する。すなわち、従来なら開封後、不要となった封書部分に相当する表紙１０の内面１０ｉ及び裏表紙２０の内面（図示しない）にも情報記載部１５が設けられ、紙片を効率よく使用できる。また、見終わった後も綴じられているために紙片が散逸することがなく、保管し易いものである。
【００２３】
図５は本発明にかかる冊子状印刷物の第二実施形態を示す平面図である。図中の円内は開封用切目線の切目の部分拡大図である。図７（イ）は図５のＸ−Ｘ線断面図、図７（ロ）は図５のＹ−Ｙ線断面図である。図５、図７に示すように本発明の冊子状印刷物の第二実施形態は、表紙の開封用切目線の構成と冊子中紙片の綴じ部側の構成が第一実施形態と異なり、その他は第一実施形態と同じであり、同じ符号を付し、説明を省略する。図５、図７に示すように第二実施形態の冊子状印刷物１’は、一対の表紙１０、裏表紙２０のうち、一方の表紙１０には、小口側Ｏの接着部３ａの内縁に略くの字状切目Ａからなる開封用切目線４ａ’と、他の対向する２辺に設けられた接着部３ｂ、３ｃの内縁にＹ字状切目Ｂからなる開封用切目線４ｂ’、４ｃ’とで構成された開封用切目線４’がコの字状に設けられ、綴じ部側Ｃには綴じ部２の内縁に折り曲げ用ミシン目線５が設けられ、右下隅部に開封口６が設けられた構成である。略くの字状切目Ａの形状は、表紙１０の小口側Ｏの端縁に略平行な平行部Ａａと接着部３ａより接着部３ｃの方向に内側に延びる斜め部Ａｂが外側に凸状の湾曲部Ａｃを介して連結され、さらに斜め部Ａｂの尖端部は小口側Ｏの端縁に略平行に延びた形状である。開封用切目線４ａ’は略くの字状切目Ａの斜め部Ａｂが開封口６側となるようにし、隣接する略くの字状切目Ａ１の斜め部Ａｂの尖端と略くの字状切目Ａ２の平行部Ａａの尖端の位置が表紙１０の小口側Ｏの端部に投影したと想定したときに接するか乃至重なるように配設されている。また、略くの字状切目Ａの斜め部Ａｂの尖端部の尖端が表紙１０の小口側Ｏの端部に向かって屈曲している形状が、開封したときに斜め部Ａｂの尖端より内側に表紙１０が破れる恐れがないのでより好ましい。
【００２４】
また、Ｙ字状切目Ｂの形状は、綴じ部側Ｃから小口側Ｏに向かって表紙１０の上端部に略平行に延びる直線部Ｂａと、分岐点Ｂｂを経由して小口側Ｏ方向の外側に向かって延びる斜線部Ｂｃと、屈曲点Ｂｄを経由して表紙１０の上端部に略平行に延びる直線部Ｂｅとが連結されていると共に、分岐点Ｂｂより小口側Ｏ方向の内側に向かって延びる斜線部Ｂｃよりも短い長さの斜線部Ｂｆが、分岐点Ｂｂを介して連結された形状である。さらに、直線部Ｂｅの尖端は表紙１０の接着部３ｃ側に屈曲した屈曲部を有している。開封用切目線４ｂ’、４ｃ’はＹ字状切目Ｂの斜線部Ｂｃ、Ｂｆが小口側Ｏとなるようにし、隣接するＹ字状切目Ｂ１の直線部Ｂｅの尖端とＹ字状切目Ｂ２の直線部Ｂａの尖端とが間隔Ｄを隔てて配設されている。間隔Ｄは、０．３ｍｍ以上とすることが好ましく、０．８ｍｍ以上とすることがより好ましい。間隔Ｄが０．３ｍｍ未満となると冊子状印刷物の製造時に表紙ウェブが開封用切目線で切断する恐れがある。また、Ｙ字状切目Ｂの直線部Ｂｅの尖端には屈曲部は設けない構成としてもよいが、屈曲部を設けた方が、開封したときに直線部Ｂｅの尖端より外側に表紙１０が破れてしまうという恐れがなく、確実に開封できるのでより好ましい。また、開封用切目線４ａ’と開封用切目線４ｂ’、および開封用切目線４ａ’と開封用切目線４ｃ’との連結部分は略Ｌ字状、Ｕ字状、くの字状、ヘの字状の切目を施すのが開封開始後、切取り伝播が開封用切目線４ｂ’、４ｃ’に容易に導入されるので好ましい。第二実施形態は開封用切目線４’の構成を採用することにより、例えばＡ４サイズ、Ｂ４サイズの広い面積の冊子状印刷物の場合に開封時に表紙が破れることがないという効果を奏するものである。
【００２５】
図６は、略くの字状切目Ａ、およびＹ字状切目Ｂの２〜３の具体例を示す拡大図である。図６（イ）、（ロ）は略くの字状切目Ａの例を示し、（イ）に示す形状は、上下方向の長さａが７ｍｍで左右方向の長さｂが１．５ｍｍであり、隣接する略くの字状切目との上下方向の重なりｃが１ｍｍであり、略くの字状切目Ａの斜め部Ａｂの尖端部の尖端が表紙１０の小口側Ｏの端部に向かって屈曲した左右方向の屈曲長さｄが０．５ｍｍである。（ロ）に示す形状は、上下方向の長さａが３．５ｍｍで左右方向の長さｂが１．５ｍｍであり、隣接する略くの字状切目との上下方向の重なりｃが０．５ｍｍであり、上記左右方向の屈曲長さｄが０．３ｍｍであり、略くの字がなだらかな曲線状である。図６（ハ）、（ニ）は、Ｙ字状切目Ｂの例を示し、（ハ）に示す形状は、左右方向の長さｂが２．２ｍｍで上下方向の長さａが２．５ｍｍである。また、直線部Ｂａの長さｅが０．８ｍｍであり、斜線部Ｂｃと斜線部Ｂｃよりも短い長さの斜線部Ｂｆの上下方向の長さｆ、ｇが、それぞれ１．５ｍｍ、１．０ｍｍであり、直線部Ｂｅの尖端より表紙１０の接着部３ｃ側に屈曲した屈曲部の上下方向の屈曲長さｈが０．５ｍｍであり、隣接するＹ字状切目の直線部Ｂｅの尖端とＹ字状切目の直線部Ｂａの尖端とが間隔Ｄが０．８ｍｍである。（ニ）に示す形状は、左右方向の長さｂが１．２６ｍｍで上下方向の長さａが２．０ｍｍのＹ字形状である。また、直線部Ｂａの長さｅが０．９６ｍｍであり、斜線部の左右方向の長さｉが０．３ｍｍで斜線部Ｂｃおよび斜線部Ｂｆに相当する斜線部の上下方向の長さｆ’、ｇ’が１．０ｍｍであり、隣接するＹ字状切目との間隔Ｄが０．６４ｍｍである。すなわち、（ニ）に示すＹ字状切目の形状は、（ハ）のＹ字状切目のような屈曲部や直線部Ｂｅを有していない形状である。
【００２６】
図７（イ）は図５のＸ−Ｘ線断面図、図７（ロ）は図５のＹ−Ｙ線断面図であって、冊子状印刷物１’は、図７に示すように表紙１０と裏表紙２０の間に冊子中紙片３０１、３０２、３０３からなる３枚の冊子中紙片３０が挿入され綴じ部２で表紙１０、裏表紙２０と綴じられ一体化されている。また、冊子中紙片３０の綴じ部の内縁に折り曲げ用ミシン目線５が設けられている。また、冊子中紙片３０の綴じ部２の内側に内側綴じ部３１が設けられ冊子中紙片３０だけが綴じられている。さらに、綴じ部２と内側綴じ部３１との間にミシン目線３２が設けられて構成されている。このような構成とすることにより、例えば、クーポン券、優待券などを提供する場合にミシン目線３２より該券を切取ることができ、しかも、内側綴じ部３１で閉じられているので該券が散けることがなく、携帯に便利なものとなる。
【００２７】
図８、図９は本発明にかかる冊子状印刷物１’’の第三実施形態を示すものである。図８に示すように、第三実施形態の冊子状印刷物１’’は、一対の矩形状の表紙１０と裏表紙２０の１辺の端部に設けられた綴じ代で接着された綴じ部２が設けられ、該綴じ部２を除く３周辺に接着部３ａ’’、３ｂ’’、３ｃ’’が設けられ綴じ部２、接着部３ａ’’、３ｂ’’、３ｃ’’で周囲４辺が接着され、表紙１０と裏表紙２０の間に第一実施形態と同じ形態の冊子中紙片３０１、３０２、３０３からなる３枚の冊子中紙片３０が挿入され綴じ部２で表紙１０、裏表紙２０と綴じられ一体化されている。綴じ部２と対向する接着部３ａ’’側が小口側Ｏとされ、一対の表紙のうち、一方の表紙１０には、小口側Ｏの接着部３ａ’’の内縁に略くの字状切目からなる開封用切目線４ａ’が表紙１０の上端縁から下端縁に亘って設けられている。また、他の対向する上辺、下辺の２辺に設けられた接着部３ｂ’’、３ｃ’’が剥離可能とされた構成である。開封用切目線４ａ’の構成は第二実施形態と同じであり、その他は、第一実施形態と同じであり、説明を省略する。
【００２８】
図９は、第三実施形態の冊子状印刷物１’’の開封用切目線から開封した状態を示す平面図である。図９に示すように、右下隅に設けられた開封口６’’を手指で摘み、引っ張り上げることにより、開封用切目線４ａ’に沿って、表紙１０が切取られ、接着部３ｂ’’、３ｃ’’においては表紙１０と裏表紙２０が剥離して開封することができ、折り曲げ用ミシン目線５で表紙１０を折り曲げて見開き可能な状態とできるものである。なお、図中の斜線部は接着部３ｂ’’、３ｃ’’で表紙１０と裏表紙２０とが剥離された痕跡を示す。第三実施形態の冊子状印刷物の接着部３ｂ’’、３ｃ’’は剥離可能とするために弱接着とされており、強接着とされた第一実施形態、第二実施形態の冊子状印刷物の接着部３ｂ、３ｃに比べ、接着部の幅（糊代）を広くする必要がある。
【符号の説明】
【００２９】
１、１’、１’’                        冊子状印刷物
２                                      綴じ部
２ａ、２ｂ、２ｃ、２ｄ、２ｅ            綴じ代
３、３ａ、３ｂ、３ｃ                    接着部
３ａ’’、３ｂ’’、３ｃ’’            接着部
４、４ａ、４ｂ、４ｃ                    開封用切目線
４’、４ａ’、４ｂ’、４ｃ’            開封用切目線
５                                      折り曲げ用ミシン目線
６、６’’                              開封口
１０                                    表紙
１０ｉ                                  表紙の内面
１１                                    差出料金表示
１２                                    送り先、宛名記載部
１３                                    広告表示部
１４                                    差出人記載部
１５                                    情報記載部
２０                                    裏表紙
３０、３０１、３０２、３０３            冊子中紙片
３１                                    内側綴じ部
３２                                    ミシン目線
Ａ、Ａ１、Ａ２                          略くの字状切目
Ａａ                                    平行部
Ａｂ                                    斜め部
Ａｃ                                    湾曲部
Ｂ、Ｂ１、Ｂ２                          Ｙ字状切目
直線部Ｂａ、Ｂｅ                        直線部
Ｂｂ                                    分岐点
Ｂｃ、Ｂｆ                              斜線部
Ｂｄ                                    屈曲点
Ｃ                                      綴じ部側
Ｄ                                      間隔
Ｏ                                      小口側
ａ                                      上下方向の長さ
ｂ                                      左右方向の長さ
ｃ                                      隣接する略くの字状切目との上下方向の重なり
ｄ                                      左右方向の屈曲長さ
ｅ                                      直線部Ｂａの長さ
ｆ                                      斜線部Ｂｃの上下方向の長さ
ｇ                                      斜線部Ｂｆの上下方向の長さ
ｈ                                      上下方向の屈曲長さ
ｉ                                      斜線部の左右方向の長さ
ｆ’                                    斜線部Ｂｃに相当する斜線部の上下方向の長さ
ｇ’                                    斜線部Ｂｆに相当する斜線部の上下方向の長さ
【図１】
2010269448.tif 000003
【図２】
2010269448.tif 000004
【図３】
2010269448.tif 000005
【図４】
2010269448.tif 000006
【図５】
2010269448.tif 000007
【図６】
2010269448.tif 000008
【図７】
2010269448.tif 000009
【図８】
2010269448.tif 000010
【図９】
2010269448.tif 000011